(57)【要約】【課題】治療と関係無い時に患者の目からインスツルメントは見えないようにすることで、患者が治療器具などから受ける恐怖感や不安感を和らげる。【解決手段】２はワークテーブル、５はインスツルメントホルダ、９は該インスツルメントホルダ５に載置されたインスツルメントで、インスツルメントホルダ５は、歯科治療椅子等の本体固定部から延長する可動アームの先端に固定され、テーブルベース１１の前方下部に固定され、可動アーム１０の移動と一体的に移動するようになっている。テーブルベース１１の上方には、ワークテーブル２が前後（矢印方向）に移動（スライド）可能に取り付けられており、手動、電動、或いは、流体圧等によってスライドできるようになっており、図１（Ｂ）に破線にて示すように、前方に引き出された時にインスツルメント９を覆うようになっている。【選択図】        図１
2004337210.tif 000002
【特許請求の範囲】
【請求項１】
少なくとも、インスツルメントホルダと、該インスツルメントホルダの上方に配設されたワークテーブルとを有し、該ワークテーブルは前後に移動可能で、インスツルメント非使用時、前方に引き出されて前記インスツルメントホルダ上のインスツルメントを覆うようにしたことを特徴とする歯科治療ユニット。
【発明の詳細な説明】
【０００１】
【発明の属する技術分野】
本発明は、歯科治療ユニット、より詳細には、少なくとも、インスツルメントホルダと、該インスツルメントホルダの上方に配設されたワークテーブルを有する歯科治療ユニットにおいて、前記ワークテーブルを前後にスライドするようにし、患者が治療椅子に座る時等に、患者からインスツルメントが見えないようにする（隠す）ことができ、患者を恐怖感や不安感から解放することができるようにしたものである。
【０００２】
【従来の技術】
図２は、本発明が適用される歯科用治療ユニットの一例を示す全体構成図で、該歯科治療ユニットは、治療椅子１（安頭台，バックレスト，コンターシート，レッグレスト，フットレストから成る），ワークテーブル２，スピットン３，無影灯４，インスツルメントホルダ５，フットスイッチ６，アシスタント用インスツルメントホルダ７，インスツルメントホース８等から成り、インスツルメントホルダ５には、歯科治療において術者が使用する種々のドクター用インスツルメント９が挿脱自在に収納されており、アシスタント用インスツルメントホルダ７にはアシスタントが使用するアシスタント用インスツルメント９が着脱自在装着されている。
【０００３】
【特許文献１】
特開２００２−１４３２４７号公報
【０００４】
【発明が解決しようとする課題】
上述のごとき歯科治療ユニットにおいて、周知のように、歯科治療に当たり、患者は椅子に座り、頭を安頭台に固定して治療を受ける。治療中、術者は治療椅子１を上下動，起倒，傾斜動等させて、患者を治療しやすい姿勢にして治療を行うが、インスツルメントホルダ５に収納されているインスツルメント９は、常時、インスツルメントホルダから露出しており、治療を必要としない際においても、インスツルメント９は患者の目に入る位置にあり、患者がユニットの治療椅子に座る時等に、これらインスツルメントを見て恐怖感を覚えたりする等の問題があった。
【０００５】
本発明は、上述のごとき実情に鑑みてなされたもので、ワークテーブルをインスツルメントホルダに対して前後に移動（例えばスライド）するようにし、治療と関係無い時は、患者の目からインスツルメントが見えないようにして、歯科治療用インスツルメントを患者の視界から妨げることで、患者が治療器具などから受ける恐怖感や不安感を和らげることを目的としてなされたものである。
【０００６】
更には、今までは、ワークテーブル上の治療器具（探針等の手用器具等）を取る時に、インスツルメントホルダに収納してあったインスツルメントのバー等の刃部（刃物）で腕にケガをしたり、衣類に引っかけたり等していたが、これらのことも併せて防ぐことができるようにしたものである。
【０００７】
【課題を解決するための手段】
本発明は、少なくとも、インスツルメントホルダと、該インスツルメントホルダの上方に配設されたワークテーブルとを有し、該ワークテーブルは前後に移動可能で、インスツルメント非使用時、前方に引き出されて前記インスツルメントホルダ上のインスツルメントを覆うようにしたことを特徴としたものである。
【０００８】
【発明の実施の形態】
図１は、本発明による歯科治療ユニットの一実施例を説明するための要部概略構成図、具体的には、図２に示したような、ワークテーブルとインスツルメントホルダを上下に有する歯科治療ユニットにおける、前記ワークテーブルとインスツルメントホルダの関係を示す概略構成図である。
【０００９】
図１において、２はワークテーブル、５はインスツルメントホルダ、９は該インスツルメントホルダ５に載置されたインスツルメントで、インスツルメントホルダ５は、歯科治療椅子等の本体固定部から延長する可動アーム１０の先端に固定されたテーブルベース１１の下部前方に取り付けられ、該可動アーム１０の移動と一体的に移動するようになっている。
【００１０】
テーブルベース１１の上方には、ワークテーブル２が前後（矢印方向）に移動（スライド）可能に取り付けられており、手動、電動、或いは、流体圧等によってスライドできるようになっている。図１には、取手２ａを持って手動にて移動するようにした例が示してある。なお、スライド機構は、任意周知のスライド機構でよく、一般的には、テーブルベース１１の上面に断面が凹形状又は凸形状のレールを平行に設け、ワークテーブル２の下面に前記凹形状又は凸形状のレールに併合する凸形状又は凹形状のレールを設けて、これらレール上で摺動するようにするとよい。
【００１１】
図１（Ａ）は、診療時の状態を示し、この時は、ワークテーブル２は、後方に押し下げられ、ドクターは、従来通りの使用勝手により、歯科治療を行うことができる。
図１（Ｂ）は、非治療時の状態を破線にて示し、この時は、ワークテーブル２は前方に引き出され、つまり、インスツルメント９の上まで引き出され、該ワークテーブル２によってインスツルメント９が見えなくなるようになっている。
【００１２】
【発明の効果】
上述のように、本発明によると、テーブル部に前後に移動（例えばスライド）する構造を持ち、治療と関係無い時に、患者の目からインスツルメントが見えないようにして歯科治療用インスツルメントを患者の視界から妨げることができ、患者が治療器具などから受ける恐怖感や不安感を和らげることができる。更には、従来、ワークテーブル上の治療器具（探針等の手用器具等）を取る時に、インスツルメントホルダに収納してあったインスツルメントのバー等の刃部（刃物）で腕にケガをしたり、衣類に引っかける等していたが、これらのことも併せて防ぐことができる。
【図面の簡単な説明】
【図１】本発明による歯科治療ユニットの一実施例を説明するための要部概略構成を示す斜視図である。
【図２】本発明が適用される歯科用治療ユニットの一例を示す全体構成図である。
【符号の説明】
１…治療椅子、２…ワークテーブル、３…スピットン、４…無影灯、５…インスツルメントホルダ、６…フットスイッチ、７…アシスタント用インスツルメントホルダ、８…インスツルメントホース、９…歯科治療用インスツルメント、１０…可動アーム、１１…テーブルベース。
【図１】
2004337210.tif 000003
【図２】
2004337210.tif 000004